(57)【特許請求の範囲】
【請求項１】
ベースバンド信号を無線周波数信号に変換する現用変換手段及び該現用変換手段によって変換された前記無線周波数信号を分配する現用分配器と、
前記ベースバンド信号を前記無線周波数信号に変換する予備用変換手段及び該予備用変換手段によって変換された前記無線周波数信号を分配する予備用分配器と、
前記現用分配器又は前記予備用分配器によって分配された前記無線周波数信号のいずれかを相互に合成できる合成器と、
前記合成器によって合成された前記無線周波数信号を外部に送信する送信部とを備えた無線装置であって、
前記合成器は、前記現用変換手段が作動する時に前記現用分配器によって分配された前記無線周波数信号を相互に合成し、
前記現用変換手段が作動しなくなった時に前記現用分配器によって分配された前記無線周波数信号と前記予備用分配器によって分配された前記無線周波数信号とを相互に合成し、その後に前記予備用分配器によって分配された前記無線周波数信号を相互に合成することを特徴とする無線装置。
【請求項２】
前記現用変換手段が作動しているときに、前記予備用分配器の出力側を終端することを特徴とする請求項１に記載の無線装置。
【請求項３】
前記合成器と前記現用分配器との間及び前記合成器と前記予備用分配器との間にそれぞれ第１，第２の切替手段を設け、
前記現用変換手段が作動しなくなったことを検知したときに、前記第１，第２の切替手段に対して前記合成器への入力元を切り替える制御信号の生成及び出力を行う制御手段を設け、
前記制御手段と前記第１の切替手段との間に遅延手段を設け、
前記制御手段から前記第１，第２の切替手段に対して前記制御信号が出力されたときに、前記遅延手段によって前記第１，第２の切替手段への各々の前記制御信号の入力タイミングをずらすことにより、前記入力元を段階的に切り替えることを特徴とする請求項１又は２に記載の無線装置。
【請求項４】
外部から送信された無線周波数信号を受信する受信部と、
前記受信部によって受信された前記無線周波数信号を分配する分配器と、
前記分配器によって分配された前記無線周波数信号を相互に合成する現用合成器及び該現用合成器によって合成された無線周波数信号をベースバンド信号に変換する現用変換手段と、
前記分配器によって分配された前記無線周波数信号と第１終端器からの信号とを相互に合成又は前記第１終端器と第２終端器からの信号とを相互に合成又は前記分配器によって分配された前記無線周波数信号を相互に合成する予備用合成器及び該予備用合成器によって合成された無線周波数信号をベースバンド信号に変換する予備用変換手段と、
前記現用変換手段又は前記予備用変換手段によって変換された前記ベースバンド信号を処理するベースバンド信号処理部とを備えた無線装置であって、
前記現用変換手段が作動する時には前記現用合成器によって合成された前記無線周波数信号を前記現用変換手段によって変換し、
前記現用変換手段が作動しなくなった時には前記分配器からの前記無線周波数信号を前記現用変換手段及び前記予備用変換手段によって変換し、その後に前記分配器からの前記無線周波数信号を相互に合成した合成信号を前記予備用変換手段によって変換することを特徴とする無線装置。
【請求項５】
前記現用変換手段が作動しているときに、前記予備用合成器の入力側を終端することを特徴とする請求項４に記載の無線装置。
【請求項６】
前記現用変換手段と前記予備用変換手段を選択するスイッチを備え、
前記スイッチは、前記現用変換手段が作動しなくなったときに、前記現用変換手段から前記予備用変換手段に切り替えることを特徴とする請求項１から５のいずれか１項に記載の無線装置。
【請求項７】
前記分配器と前記現用合成器との間及び前記分配器と前記予備用合成器との間にそれぞれ第１，第２の切替手段を設け、
前記現用変換手段が作動しなくなったことを検知したときに、前記第１，第２の切替手段に対して前記予備用合成器への入力元を切り替える制御信号の生成及び出力を行う制御手段を設け、
前記制御手段と前記第１の切替手段との間に遅延手段を設け、
前記制御手段から前記第１，第２の切替手段に対して前記制御信号が出力されたときに、前記遅延手段によって前記第１，第２の切替手段への各々の前記制御信号の入力タイミングをずらすことにより、前記入力元を段階的に切り替えることを特徴とする請求項４から６のいずれか１項に記載の無線装置。
【請求項８】
前記入力元を段階的に切り替えている間に、前記予備用変換
手段から出力される無線周波数信号のパワーを増幅させて、該無線周波数信号のパワーの損出分を補填することを特徴とする請求項３又は７に記載の無線装置。
【請求項９】
無線回線を通じて複数の無線装置が接続されてなる無線システムにおいて、
前記無線装置の少なくとも１つは、ベースバンド信号を無線周波数信号に変換する現用変換手段及び該現用変換手段によって変換された前記無線周波数信号を分配する現用分配器と、前記ベースバンド信号を前記無線周波数信号に変換する予備用変換手段及び該予備用変換手段によって変換された前記無線周波数信号を分配する予備用分配器と、前記現用分配器又は前記予備用分配器によって分配された前記無線周波数信号のいずれかを相互に合成できる合成器と、前記合成器によって合成された前記無線周波数信号を外部に送信する送信部とを備えた無線装置であって、
前記合成器は、前記現用変換手段が作動する時に前記現用分配器によって分配された前記無線周波数信号を相互に合成し、前記現用変換手段が作動しなくなった時に前記現用分配器によって分配された前記無線周波数信号と前記予備用分配器によって分配された前記無線周波数信号とを相互に合成し、その後に前記予備用分配器によって分配された前記無線周波数信号を相互に合成することを特徴とする無線システム。
【請求項１０】
無線回線を通じて複数の無線装置が接続されてなる無線システムにおいて、
前記無線装置の少なくとも１つは、外部から送信された無線周波数信号を受信する受信部と、前記受信部によって受信された前記無線周波数信号を分配する分配器と、前記分配器によって分配された前記無線周波数信号を相互に合成する現用合成器及び該現用合成器によって合成された無線周波数信号をベースバンド信号に変換する現用変換手段と、前記分配器によって分配された前記無線周波数信号と第１終端器からの信号とを相互に合成又は前記第１終端器と第２終端器からの信号とを相互に合成する予備用合成器及び該予備用合成器によって合成された無線周波数信号をベースバンド信号に変換する予備用変換手段と、前記現用変換手段又は前記予備用変換手段によって変換された前記ベースバンド信号を処理するベースバンド信号処理部とを備えた無線装置であって、
前記現用変換手段が作動する時には前記現用合成器によって合成された前記無線周波数信号を前記現用変換手段によって変換し、前記現用変換手段が作動しなくなった時には前記分配器からの前記無線周波数信号を前記現用変換手段及び前記予備用変換手段によって変換し、その後に前記分配器からの前記信号を相互に合成した合成信号を前記予備用変換手段によって変換することを特徴とする無線システム。
【発明の詳細な説明】
【０００１】
【発明の属する技術分野】
本発明は、たとえば携帯電話機や無線基地局などに搭載された無線装置及びそれを備えた無線システムに関する。
【０００２】
【従来の技術】
従来、無線装置は、たとえば特許第２６６９３５５号、特許第２７７１４４０号、特許第２８７４１１２号に記載されているように、実際に無線信号の送受信に使用する無線送受信部が故障などにより作動させることができないときに、他の無線装置に対して送信する無線送受信信号が瞬断しないようにしている。
【０００３】
具体的に、特許第２６６９３５５号の技術では、予備伝送路を通った信号と現用伝送路を通った信号とでＳＴＭフレ−ム位相、ＡＵポインタ値の両者を同一になるように制御して無線送受信信号が無瞬断となるようにしている。
【０００４】
また、特許第２７７１４４０号の技術では、２つの異なる伝送路を経た受信信号の遅延量の違いから生ずる位相差の検出を、送信側から送出したマーカを対向局で折返すことにより伝送路の絶対遅延時間を測定し、同時にフレーム同期信号によりフレーム位相差を測定してこの両者から補正遅延差を求めて無瞬断切替を行っている。
【０００５】
さらに、特許第２８７４１１２号の技術では、現用伝送路及び予備伝送路の双方において、ビット誤りをチェックし、現用伝送路においてビット誤りを検出したときに、予備伝送路に無瞬断で切り替えている。
【０００６】
無線送受信信号が瞬断しないようにするためには、たとえば実際に無線信号の送受信に使用する無線送受信部の他に、この無線送受信部が故障などにより作動させることができないときに用いるための予備用の無線送受信部を備え、無線送受信部が故障等によって作動させることができなくなると、すぐに使用している無線送受信部を予備用の無線送受信部側に切り替えている。
【０００７】
【発明が解決しようとする課題】
しかし、従来の無線装置は、無線送受信部が故障等したことを検知すると、すぐに、使用している無線送受信部を切り替えているものの、その切り替え時に、実際、瞬断が生じる場合があり、これを改善することが要求されている。
【０００８】
そこで、本発明は、使用する無線送受信部の切り替え方を工夫して、送信する無線送受信信号が瞬断しないようにすることを課題とする。
【０００９】
また、本発明は、受信した無線送受信信号に基づくベースバンド信号を受信側で瞬断しないようにすることを課題とする。
【００１０】
【課題を解決するための手段】
上記課題を解決するために、本発明の無線装置は、ベースバンド信号を無線周波数信号に変換する現用変換手段及び該現用変換手段によって変換された前記無線周波数信号を分配する現用分配器と、前記ベースバンド信号を前記無線周波数信号に変換する予備用変換手段及び該予備用変換手段によって変換された前記無線周波数信号を分配する予備用分配器と、前記現用分配器又は前記予備用分配器によって分配された前記無線周波数信号のいずれかを相互に合成できる合成器と、前記合成器によって合成された前記無線周波数信号を外部に送信する送信部とを備えた無線装置であって、前記合成器は、前記現用変換手段が作動する時に前記現用分配器によって分配された前記無線周波数信号を相互に合成し、前記現用変換手段が作動しなくなった時に前記現用分配器によって分配された前記無線周波数信号と前記予備用分配器によって分配された前記無線周波数信号とを相互に合成し、その後に前記予備用分配器によって分配された前記無線周波数信号を相互に合成することを特徴とする。
【００１１】
また、本発明は、外部から送信された無線周波数信号を受信する受信部と、前記受信部によって受信された前記無線周波数信号を分配する分配器と、前記分配器によって分配された前記無線周波数信号を相互に合成する現用合成器及び該現用合成器によって合成された無線周波数信号をベースバンド信号に変換する現用変換手段と、前記分配器によって分配された前記無線周波数信号と第１終端器からの信号とを相互に合成又は前記第１終端器と第２終端器からの信号とを相互に合成又は前記分配器によって分配された前記無線周波数信号を相互に合成する予備用合成器及び該予備用合成器によって合成された無線周波数信号をベースバンド信号に変換する予備用変換手段と、前記現用変換手段又は前記予備用変換手段によって変換された前記ベースバンド信号を処理するベースバンド信号処理部とを備えた無線装置であって、前記現用変換手段が作動する時には前記現用合成器によって合成された前記無線周波数信号を前記現用変換手段によって変換し、前記現用変換手段が作動しなくなった時には前記分配器からの前記無線周波数信号を前記現用変換手段及び前記予備用変換手段によって変換し、その後に前記分配器からの前記無線周波数信号を相互に合成した合成信号を前記予備用変換手段によって変換することを特徴とする。
【００１２】
さらに、本発明は、無線回線を通じて複数の無線装置が接続されてなる無線システムにおいて、前記無線装置の少なくとも１つは、ベースバンド信号を無線周波数信号に変換する現用変換手段及び該現用変換手段によって変換された前記無線周波数信号を分配する現用分配器と、前記ベースバンド信号を前記無線周波数信号に変換する予備用変換手段及び該予備用変換手段によって変換された前記無線周波数信号を分配する予備用分配器と、前記現用分配器又は前記予備用分配器によって分配された前記無線周波数信号のいずれかを相互に合成できる合成器と、前記合成器によって合成された前記無線周波数信号を外部に送信する送信部とを備えた無線装置であって、前記合成器は、前記現用変換手段が作動する時に前記現用分配器によって分配された前記無線周波数信号を相互に合成し、前記現用変換手段が作動しなくなった時に前記現用分配器によって分配された前記無線周波数信号と前記予備用分配器によって分配された前記無線周波数信号とを相互に合成し、その後に前記予備用分配器によって分配された前記無線周波数信号を相互に合成することを特徴とする。
【００１３】
さらにまた、本発明は、無線回線を通じて複数の無線装置が接続されてなる無線システムにおいて、前記無線装置の少なくとも１つは、外部から送信された無線周波数信号を受信する受信部と、前記受信部によって受信された前記無線周波数信号を分配する分配器と、前記分配器によって分配された前記無線周波数信号を相互に合成する現用合成器及び該現用合成器によって合成された無線周波数信号をベースバンド信号に変換する現用変換手段と、前記分配器によって分配された前記無線周波数信号と第１終端器からの信号とを相互に合成又は前記第１終端器と第２終端器からの信号とを相互に合成する予備用合成器及び該予備用合成器によって合成された無線周波数信号をベースバンド信号に変換する予備用変換手段と、前記現用変換手段又は前記予備用変換手段によって変換された前記ベースバンド信号を処理するベースバンド信号処理部とを備えた無線装置であって、前記現用変換手段が作動する時には前記現用合成器によって合成された前記無線周波数信号を前記現用変換手段によって変換し、前記現用変換手段が作動しなくなった時には前記分配器からの前記無線周波数信号を前記現用変換手段及び前記予備用変換手段によって変換し、その後に前記分配器からの前記信号を相互に合成した合成信号を前記予備用変換手段によって変換することを特徴とする。
【００１４】
【発明の実施の形態】
以下、本発明の実施形態について図面を参照して説明する。
【００１５】
（実施形態１）
［構成の説明］
図１は、本発明の実施形態１の無線装置の信号の送信部の構成を示すブロック図である。図１には、たとえば周波数の異なる２種類の信号を外部に送信できるようなものを示している。
【００１６】
図１には、送信するベースバンド信号の生成、送信データの誤り訂正符号化、フレーム化などの処理や、受信ベースバンド信号のチップ同期、誤り訂正符号化などの処理を行うベースバンド信号処理部１と、ベースバンド信号処理部１から出力されたベースバンド信号を無線周波数信号に変換して分配器６〜８に各々出力する無線送受信部３〜５とを示している。
【００１７】
また、ベースバンド信号処理部１と無線送受信部５との間には、ベースバンドスイッチ２を備え、これにより、無線送受信部５にベースバンド信号処理部１から無線送受信部３，４のいずれかに出力されているベースバンド信号が入力されるようにしている。
【００１８】
なお、無線送受信部３，４は実際に使用するものであり（現用無線送受信部）、無線送受信部５はこれらの無線送受信部３，４が作動しないときに使用する予備用の無線送受信部（予備用無線送受信部）である。同様に、分配器６，７は実際に使用するものであり（現用分配器）、分配器８は分配器６，７が作動しないときに使用する予備用の分配器（予備用分配器）である。
【００１９】
また、図１には、入力した無線周波数信号を３回路で２接点型スイッチ２個、３接点型スイッチ１個で構成されスイッチ制御信号により入力端子と出力端子の接続が切り替えられる切替手段である無線スイッチ９，１０と、無線スイッチ９，１０にそれぞれ同相分配して出力する分配器６〜８と、無線スイッチ９，１０側からそれぞれ出力される無線周波数信号を同相で合成する合成器１２，１３と、入力したスイッチ制御信号を一定時間遅延させて無線スイッチ１０へ入力させる遅延回路１１と、分配器６〜８のインピーダンス不整合による無線周波数信号の減衰及び発振を防止するためにアンテナ１６，１７に出力しない無線周波数信号を終端する終端器１４，１５と、合成された無線周波数信号をそれぞれ送信するアンテナ１６，１７とを示している。なお、遅延回路１１は無線スイッチ１０側でなく、無線スイッチ９側に設けてもよい。
【００２０】
さらに、無線スイッチ９，１０は、上記のように３回路で２接点型スイッチ２個、３接点型スイッチ１個で構成されており、入力端子１０３，１１０及び１１３，１２０は分配器６と接続され、入力端子１０６，１１１及び１１６，１２１は分配器７と接続され、入力端子１０４，１０７，１０９及び，１１４，１１７，１１９は分配器８と接続されている。さらに出力端子１０５，１１６は合成器１２に接続され、出力端子１０９，１１９は合成器１３に接続され、出力端子１１２１，１２２は終端器１４，１５に接続されている。
【００２１】
図２は、本発明の実施形態１の無線装置の信号の受信部の構成を示すブロック図である。図２には、外部から送信された無線周波数信号を受信するアンテナ２３，２４と、受信した無線周波数信号を無線スイッチ２７，２８にそれぞれ分配する分配器２５，２６と、入力した無線周波数信号を３回路で２接点型スイッチ２個、３接点型スイッチ１個で構成されスイッチ制御信号により入力端子と出力端子の接続が切り替えられる切替手段である無線スイッチ２７，２８と、無線スイッチ２７，２８側からそれぞれ出力される無線周波数信号を同相で合成する合成器３２〜３４とを示している。
【００２２】
なお、図２において、図１と同様の部分には同一の符号を付している。また、図１と図２とでは、無線周波数信号の分配及び合成をたとえば同一の受動素子で実現していることとしているが、能動素子で実現するようにしてもよい。
【００２３】
［動作の説明］
まず、図１及び図３を用いて、無線周波数信号の送信時の動作について説明する。
【００２４】
図３は、スイッチ制御信号とベースバンドスイッチ２及び無線スイッチ９，１０との関係を示す図であり、図３（ａ）は無線送受信部３，４が作動するとき、図３（ｂ）は無線送受信部３が故障などにより使用できないことにより予備用の無線送受信部５を作動するとき、図３（ｃ）は無線送受信部４が故障などにより使用できないことにより予備用の無線送受信部５を作動するときのそれぞれのベースバンドスイッチ２及び無線スイッチ９，１０の制御状態を示している。
【００２５】
ちなみに、無線送受信部３，４は、アンプなどの能動素子や、コンデンサなどの受動素子に劣化やクラックなどが生じることによって故障することが多い。
【００２６】
図４〜図６は、図３（ａ），図３（ｂ）の「０〜ｔ時間」まで，図３（ｂ）の「ｔ時間後」までに、それぞれ対応する無線周波数信号の送受信時における信号の流れを示す図である。
【００２７】
なお、図３のスイッチ制御信号は、無線送受信部３，４のいずれかが故障などにより作動しなくなったときに、たとえば故障した無線送受信部から出力される無線周波数信号のレベルダウンを検知する検知手段（図示せず）から出力されるもので、「００」の場合には、スイッチ状態は図３（ａ），図４に示すように、無線スイッチ９側では、出力端子１０５，１０８，１１２と入力端子１０３，１０６，１０９とが接続され、無線スイッチ１０側では、出力端子１１５，１１８，１２２と入力端子１１３，１１６，１１９とがそれぞれ接続されるようにしている。
【００２８】
また、スイッチ制御信号が「０１」の場合には、無線送受信部３が故障等してからｔ時間後までは、スイッチ状態は図３（ｂ），図５に示すように、無線スイッチ９側では、出力端子１０５，１０８，１１２と入力端子１０４，１０６，１１０とが接続され、無線スイッチ１０側では、出力端子１１５，１１８，１２２と入力端子１１３，１１６，１１９とがそれぞれ接続されるようにしており、無線送受信部３が故障等してからｔ時間後からは、図３（ｂ），図６、に示すように、無線スイッチ１０側では、出力端子１１５，１１８，１２２と入力端子１０４，１０６，１２０とがそれぞれ接続されるようにしている。
【００２９】
図３（ａ），図４に示すように、無線送受信部３，４が作動するときには、ベースバンド信号処理部１で生成された第１のベースバンド信号（デジタルデータ）は、無線送受信部３及びベースバンドスイッチ２の入力端子１００に入力される（図４（ａ））。また、第２のベースバンド信号（デジタルデータ）は、無線送受信部４及びベースバンドスイッチ２の入力端子１０１に入力される（図４（ｂ））。
【００３０】
ベースバンド信号処理部１から出力された第１，第２のベースバンド信号は、無線送受信部３側又は４側とベースバンドスイッチ２側とに２分配されるが、デジタルデータのため分配損は生じない。また、ベースバンドスイッチ２は、入力端子１００及び入力端子１０１のどちらか一方と出力端子１０２とを接続しており、無線送受信部５にベースバンド信号を出力している。
【００３１】
次に、無線送受信部３において、入力された第１のベースバンド信号が第１の無線周波数信号に変換され分配器６に出力される（図４（ｃ））。また、無線送受信部４においては、入力された第２のベースバンド信号が第２の無線周波数信号に変換され分配器７に出力される（図４（ｄ））。さらに、予備用の無線送受信部５においては、入力された第２のベースバンド信号が第２の無線周波数信号に変換され分配器８に出力される。
【００３２】
つづいて、分配器６では、入力された信号を無線スイッチ９の入力端子１０３及び１１０と、無線スイッチ１０の入力端子１１３及び１２０とに同相分配している（図４（ｅ），（ｆ））。同様に、分配器７では、入力された信号を無線スイッチ９の入力端子１０６及び１１１と、無線スイッチ１０の入力端子１１６及び１２１とに同相分配し（図４（ｇ），（ｈ））、さらに分配器８では、入力された信号を無線スイッチ９の入力端子１０４，１０７及び１０９と、無線スイッチ１０の入力端子１１４，１１７及び１１９に同相分配している。尚、このとき各無線周波数信号はアナログ信号のため、分配器６〜８で、それぞれたとえば−３ｄＢの分配損を生じる。
【００３３】
ここで、図３（ａ）に示すように「００」のスイッチ制御信号が出力されているので、無線スイッチ９では、入力端子１０３と出力端子１０５と、入力端子１０９と出力端子１１２とが各々接続されるように制御される。このため、無線送受信部３側の第１の無線周波数信号は合成器１２に出力され（図４（ｉ））、無線送受信部５側の第２の無線周波数信号は終端器１４を介してグランド側へ流れる。
【００３４】
また、無線スイッチ１０では、入力端子１１３と出力端子１１５と、入力端子１１９と出力端子１２２とが各々接続されるように制御されるため、無線送受信部３側の第１の無線周波数信号は合成器１２に出力され（図４（ｊ））、無線送受信部５側の第２の無線周波数信号は終端器１５を介してグランド側へ流れる。
【００３５】
一方、無線スイッチ９では、入力端子１０６と出力端子１０８とが接続されるため、無線送受信部４側の第２の無線周波数信号は合成器１３に出力される（図４（ｋ））。さらに、無線スイッチ１０では、入力端子１１６と出力端子１１９とが接続されるため、無線送受信部４側の第２の無線周波数信号は合成器１３に出力される（図４（ｌ））。
【００３６】
次に、合成器１２では、入力された２つの第１の無線周波数信号を同相で合成する。このとき、分配器６で分配損（−３ｄＢ）を生じていたそれぞれの第１の無線周波数信号の位相を同相とすることにより、分配損分の増幅（＋３ｄＢ）を得ることができ、分配器６の入力前の出力電力を得ることができる。
【００３７】
また、合成器１３では、入力された２つの第２の無線周波数信号を同相で合成する。このとき、分配器７で分配損（−３ｄＢ）を生じていたそれぞれの第２の無線周波数信号の位相を同相とすることにより、分配損分の増幅（＋３ｄＢ）を得ることができ、分配器７の入力前の出力電力を得ることができる。
【００３８】
次に、合成器１２で合成された第１の無線周波数信号は、アンテナ１６を介して外部に送信され、合成器１３で合成された第２の無線周波数信号は、アンテナ１７を介して外部に送信される。
【００３９】
このように、無線送受信部３，４のいずれもが作動する場合には、無線送受信部３側で得られる第１の無線周波数信号を外部に送信し、且つ、無線送受信部４側で得られる第２の無線周波数信号を外部に送信することができる。
【００４０】
つづいて、図３（ｂ），図５に示す場合の動作について説明する。なお、図３（ｂ）には、無線送受信部３が故障などにより作動しなくなり、このため無線送受信部５を作動させるように、切り替えるようなスイッチ制御信号が出力されてからｔ時間までのベースバンドスイッチ２及び無線スイッチ９及び１０の接続状態を示している。なお、ｔは、遅延回路１１において遅延される時間より小さい時間を意味する。
【００４１】
まず、図３（ｂ），図５に示すように、ベースバンド信号処理部１で生成された第１のベースバンド信号（デジタルデータ）は、無線送受信部３及びベースバンドスイッチ２の入力端子１００に入力される（図５（ａ））。また、第２のベースバンド信号（デジタルデータ）は、無線送受信部４及びベースバンドスイッチ２の入力端子１０１に入力される（図５（ｂ））。
【００４２】
ここで、スイッチ制御信号は、図３（ｂ）に示すように「０１」のため、無線スイッチ９では、入力端子１００と出力端子１０２とが接続され、無線送受信部５に第１のベースバンド信号が出力される。
【００４３】
次に、たとえば無線送受信部３内のアンプが故障等により作動しない場合であれば、有線的な切断が生じても、実際には無線的にそのアンプ付近の空間を信号が伝送する。そのため、アンプの故障により無線送受信部３から出力される無線周波数信号のレベルダウンが生じるが、無線周波数信号が全く出力されないということはない（図３（ｃ））。したがって、この無線周波数信号は、分配器６に入力され、無線スイッチ９と無線スイッチ１０とに分配される（図３（ｆ））。
【００４４】
また、無線送受信部４において、入力された第２のベースバンド信号が無線周波数信号に変換され分配器７に出力される（図５（ｄ））。さらに、無線送受信部５において、入力された第２のベースバンド信号が無線周波数信号に変換され分配器８に出力される（図５（ｅ））。
【００４５】
つづいて、分配器７では、入力された信号を無線スイッチ９の入力端子１０６及び１１１と、無線スイッチ１０の入力端子１１６及び１２１とに同相分配し（図５（ｇ），（ｈ））、さらに分配器８では、入力された信号を無線スイッチ９の入力端子１０４，１０７及び１０９と、無線スイッチ１０の入力端子１１４，１１７及び１１９に同相分配している（図５（ｉ））。尚、このとき各無線周波数信号はアナログ信号のため、分配器６〜８で、それぞれたとえば−３ｄＢの分配損を生じる。
【００４６】
ここで、図３（ｂ）に示すように「０１」のスイッチ制御信号がベースバンドスイッチ２、無線スイッチ９，１０及び遅延回路１１にそれぞれ出力され、これにより、無線スイッチ９では、入力端子１０３と出力端子１０５との接続に変えて入力端子１０４と出力端子１０５とが接続され、入力端子１０９と出力端子１１２との接続に変えて入力端子１１０と出力端子１１２とが接続されるように制御される。これによって、無線送受信部５側の無線周波数信号は合成器１２に出力され（図５（ｊ））、無線送受信部３側の信号は終端器１４を介してグランドに流れる。
【００４７】
また、無線スイッチ１０では、入力端子１１９と出力端子１２２とが各々接続されるように制御されるため、無線送受信部５側の無線周波数信号は終端器１５を介してグランド側へ流れる。一方、無線スイッチ９では、入力端子１０６と出力端子１０８とが接続されるため、無線送受信部４側の無線周波数信号は合成器１３に出力される（図５（ｌ））。さらに、無線スイッチ１０では、入力端子１１６と出力端子１１８とが接続されるため、無線送受信部４側の無線周波数信号は合成器１３に出力される（図５（ｍ））。
【００４８】
ここで、無線スイッチ９側には、スイッチ制御信号が、直接入力される、一方無線スイッチ１０側には、遅延回路１１によりスイッチ制御信号が「ｔ時間」遅延された後に入力されるので、「ｔ時間」が経過するまでは、無線スイッチ１０に入力されるスイッチ制御信号は「００」であり、そのため、図５，図６の各無線スイッチ９，１０を比較すると、出力端子１０５の接続先だけ異なる。
【００４９】
次に、図３（ａ），図４を用いて説明した場合と同様に、合成器１２，１３で入力される各信号を同相で合成して、アンテナ１６，１７を介して外部へ各無線周波数信号を送信する。
【００５０】
そして、スイッチ制御信号が「００」から「０１」に切り替えられてから「ｔ時間」経過すると、図４に示すように、無線スイッチ１０の出力端子１１５の接続先が入力端子１１３から入力端子１１４へ切り替わる。このため、合成器１２では、入力端子１０４側の信号と入力端子１１４側の信号とが合成されて、アンテナ１６を介して外部に送信されるようになる。
【００５１】
このように、無線送受信部３が故障などにより作動しなくなった場合には、「０，１」のスイッチ制御信号により、切替指示をしてからｔ時間までの場合は、無線送受信部３側で得られる第１の無線周波数信号と予備用の無線送受信部５側で得られる第１の無線周波数信号とを合成して外部に送信し、且つ、無線送受信部４側で得られる第２の無線周波数信号を外部に送信することができる。
【００５２】
尚、第１のベースバンド信号のうち、「０〜ｔ時間」には無線スイッチ９を経由した方は、スイッチ切り替えにより瞬断を生じるが、この間、無線スイッチ１０を経由した方はスイッチ切り替えをしていないため、第１のベースバンド信号を瞬断が生じないように送信できる。また、「ｔ時間後」にはスイッチ１０を経由した方は、スイッチ切り替えにより瞬断を生じるが、この間、無線スイッチ９を経由した方はスイッチ切り替えをしていないため、第１のベースバンド信号を瞬断が生じないように送信できる。すなわち、無線スイッチ９，１０内の各入力端子と各出力端子との接続を、段階的に切り替えることによって瞬断しないようにすることができる。
【００５３】
また、無線送受信部３が故障などから復旧して、予備用の無線送受信部５から無線送受信部３に切り替える場合には、スイッチ制御信号を「００」にして、図３（ａ）に示すような状態に切り替える。なお、スイッチ制御信号を「０１」から「００」に切り替えても、スイッチ制御信号を遅延回路１１によって段階的に無線スイッチ９，１０へ各々入力されるため、上記のようにスイッチ制御信号を「００」から「０１」に切り替える場合と同様に、瞬断することなく第１のベースバンド信号を外部に送信することができる。
【００５４】
また、無線送受信部４が故障などにより使用できなくなった場合には、図３（ｂ），図５及び図３（ｃ），図６に示した無線送受信部３の説明と同様に、スイッチ制御信号を切り替えてからｔ時間までとｔ時間経過後とで、それぞれいずれかの無線スイッチ９，１０内のスイッチを切り替えるため、瞬断することなく第２のベースバンド信号を瞬断が生じないように送信することができる。
【００５５】
つづいて、図２，図７を用いて無線周波数信号の受信時の動作について説明する。
【００５６】
図７は、スイッチ制御信号とベースバンドスイッチ３５及び無線スイッチ２７，２８との関係を示す図であり、図７（ａ）は無線送受信部３，４が作動するとき、図７（ｂ）は無線送受信部３が故障などにより使用できないことにより予備用の無線送受信部５を作動するとき、図７（ｃ）は無線送受信部４が故障などにより使用できないことにより予備用の無線送受信部５を作動するときのそれぞれのベースバンドスイッチ２及び無線スイッチ９，１０の制御状態を示している。
【００５７】
図２，図７（ａ）に示すように、無線送受信部３，４が作動するときには、外部から送信された第１の無線周波数信号をアンテナ２３で受信し、第２の無線周波数信号をアンテナ２４で受信する。その後、第１の無線周波数信号は分配器２５に入力され、また、第２の無線周波数信号は分配器２６に入力され、それぞれ分配器２５，２６で２分配される。このとき、たとえば−３ｄＢの分配損を生じる。その後、２分配された第１，第２の無線周波数信号は、それぞれ無線スイッチ２７と無線スイッチ２８とに入力される。
【００５８】
なお、無線送受信部３，４が作動するときには、無線スイッチ２７，２８を経由した第１の無線周波数信号は、共に合成器３２に入力され、無線スイッチ２７，２８を経由した第２の無線周波数信号は、共に合成器３３に入力される。その後、合成器３２，３３において合成された各無線周波数信号は、無線送受信部３，４を経由して、直接、ベースバンド処理部１に入力される。
【００５９】
また、無線送受信部３が故障などにより使用できない場合には、無線スイッチ２７，２８の接続関係は、図７（ｂ）に示すようにスイッチ制御信号によって各出力端子の接続先を切り替えるように指示してからｔ時間までの間は、無線スイッチ２７を経由した第１の無線周波数信号は合成器３４に入力され、無線スイッチ２８を経由した第１の無線周波数信号は合成器３２に入力される。
【００６０】
さらに、無線スイッチ２７，２８を経由した第２の無線周波数信号は、共に合成器３３に入力される。尚、このとき第１の無線周波数信号は、無線スイッチ２７を経由した方はスイッチ切り替えにより瞬断を生じるが、無線スイッチ２８を経由した方はスイッチ切り替えをしないため、第１の無線周波数信号をベースバンド信号処理部１側へ出力することができる。
【００６１】
また、無線送受信部３が故障などにより使用できない場合には、図７（ｃ）に示すように、スイッチ制御信号により出力端子の接続先を切り替えるように指示してからｔ時間後は、無線スイッチ２７，２８を経由した第１の無線周波数信号は共に合成器３４に入力され、無線スイッチ２７，２８を経由した第２の無線周波数信号は共に合成器３３に入力される。尚、このとき第１の無線周波数信号は、無線スイッチ２８を経由した方はスイッチ切り替えにより瞬断を生じるが、無線スイッチ２７を経由した方はスイッチ切り替えをしないため、第１の無線周波数信号を入力できる。
【００６２】
その後、合成器３２〜３４で合成された各無線周波数信号は、それぞれ無線送受信部３〜５に入力され、各無線周波数信号をベースバンド信号に変換する。その後、無線送受信部３，４を経由した各ベースバンド信号は、直接、ベースバンド処理部１に入力される。一方、無線送受信部５を経由したベースバンド信号はベースバンドスイッチ３５を介して、無線送受信部３から本来出力されるべきベースバンド信号がベースバンド信号処理部１へ出力される。
【００６３】
無線送受信部４が故障などにより作動しない場合には、無線送受信部３を作動しない場合と同様に、図７（ｃ）に示すような接続関係となるように、スイッチ制御信号によりベースバンドスイッチ３５を切り替えて、瞬断することなく第２のベースバンド信号をベースバンド信号処理部１に出力するようにしている。
【００６４】
図８は、ベースバンド信号処理部１の内部構成図である。ここでは、ＣＤＭＡ方式における無線周波数信号を受信できるようにしたものを示している。無線送受信部３，４と無線送受信部５とから入力された各ベースバンド信号は、セレクタ部３６又はサーチャ部３７に入力される。
【００６５】
サーチャ部３７では、パスサーチを行い、受信レベルの高い信号を探し、セレクタ部３６にパス情報として通知する。セレクタ部３６では、通知されたパス情報に基づいて、受信信号をいくつか選択し、逆拡散部３８に出力する。逆拡散部３８では入力した受信信号を逆拡散してデータを取り出す。
【００６６】
すなわち、無線送受信部３〜５のいずれか２ルートからベースバンド信号が入力されていれば、無線装置では受信した無線周波数信号を処理できる。よって、本実施形態の無線装置では、無線スイッチ２７，２８を切り替えるときに、受信した無線周波数信号を瞬断が生じないように処理することができる。
【００６７】
なお、無線スイッチ９，１０及び無線スイッチ２７，２８のそれぞれの切替時には、切り替えを行う無線スイッチ９，１０及び無線スイッチ２７，２８を通過する無線周波数信号には瞬断が生じ、実際には３ｄＢのゲイン低下を招く。したがって、このゲイン低下をなくすためには、スイッチ切替時に、図示しない検知手段からの制御信号に基づいてたとえば無線送受信部３〜５内のアンプのバイアス抵抗のバイアス値を下げることによって電流の増加等により増幅させたり、あらかじめ無線送受信部３〜５内に定電流源などを備えておき上記制御信号に基づいて定電流源をオンしてゲイン低下を補填すればよい。
【００６８】
なお、本実施形態では、２つの無線送受信部３，４を備える無線装置を例に説明をしたが、この数量は２つに限定されるものでなく、ｎ個の場合であっても適用することができ、無線送受信部がｎ個存在する場合は、無線送受信部の増加分に応じて、合成器及び分配器の数を増加して、スイッチ制御信号のビット数の変更で対応できる。
【００６９】
ちなみに、無線送受信部をｎ個とすると、ベースバンドスイッチ２，３５を１回路２接点型から１回路ｎ接点型へ変更して、無線スイッチ９，２７及び無線スイッチ１０，２８を３回路の２接点型２個及び３接点型１個から（ｎ＋１）回路の２接点型ｎ個及び（ｎ＋１）接点型１個へ変更すればよい。
【００７０】
（実施形態２）
図９は、本発明の実施形態２に係る無線送受信部３〜５、分配器１９及びローカル信号生成部１８の構成図である。本実施形態では、図９に示すように、ミキサ２０〜２２を備えた無線送受信部３〜５、分配器１９及びミキサ２０〜２２に入力するローカル信号を生成するローカル信号生成部１８を有しており、これにより、無線周波数信号の位相差を発生させないようにしている。
【００７１】
これは、図１に示すように無線送受信部３〜５及び分配器６〜８を構成すると、ベースバンド信号処理部１と無線送受信部３〜５との間の各伝送線路長、無線送受信部３〜５と分配器６〜８との間の各伝送線路長、分配器６〜８と無線スイッチ９，１０との各伝送線路長及び無線スイッチ９，１０と合成器１２〜１４との間の各伝送線路長の違いや、ベースバンド信号を無線周波数信号に変換する際に必要とされるローカル信号の位相の違いによって、無線周波数信号に位相差が生じる場合が考えられるため、これらの原因を回避するものである。
【００７２】
なお、本実施形態の無線装置では、図９に示す部分以外の部分は、図１又は図６と同様に構成している。
【００７３】
つぎに、図９の動作について説明する。まず、ローカル信号生成部１８よってローカル信号が生成される。このローカル信号は分配器１９に入力され、ここで３分配され、ミキサ２０〜２２に入力される。こうして、無線送受信部３〜５において、同一のローカル信号を使用することにより、無線送受信部３〜５で変換されて得られる無線周波数信号に位相差を生じさせないようにすることができる。
【００７４】
さらに、図９に示すように無線送受信部３〜５を構成しなくても、たとえば、図１の分配器６〜８、合成器１２，１３を、ウィルキンソン型に構成することにより同相で、ベースバンド信号の分配及び無線周波数信号の合成をすることが可能である。
【００７５】
また、たとえばベースバンド信号処理部１と無線送受信部３〜５との間及び分配器１９と合成器１２〜１４との間の位相も伝送線路長を同じにするか位相調整されていることが必要である。
【００７６】
【発明の効果】
以上説明したように、本発明は、現用変換手段が作動しなくなった時に現用分配器によって分配された無線周波数信号と予備用分配器によって分配された無線周波数信号とを相互に合成し、その後に予備用分配器によって分配された無線周波数信号を相互に合成するため、送信する無線送受信信号が瞬断しないようにすることができる。
【００７７】
また、本発明は、現用変換手段が作動しなくなった時には分配器からの無線周波数信号を現用変換手段及び予備用変換手段によって変換し、その後に分配器からの無線周波数信号を相互に合成した合成信号を予備用変換手段によって変換するため、受信した無線送受信信号に基づくベースバンド信号を受信側で瞬断しないようにすることができる。
【図面の簡単な説明】
【図１】本発明の実施形態１における無線装置の送信部の構成を示すブロック図である。
【図２】本発明の実施形態１における無線装置の受信部の構成を示すブロック図である。
【図３】スイッチ制御信号とベースバンドスイッチ及び無線スイッチとの関係を示す図である。
【図４】図３（ａ）に対応する無線周波数信号の送受信時における信号の流れを示す図である。
【図５】図３（ｂ）の「０〜ｔ時間」に対応する無線周波数信号の送受信時における信号の流れを示す図である。
【図６】図３（ｂ）の「ｔ時間後」までに対応する無線周波数信号の送受信時における信号の流れを示す図である。
【図７】スイッチ制御信号とベースバンドスイッチ及び無線スイッチとの関係を示す図である。
【図８】ベースバンド信号処理部１の内部構成図である。
【図９】本発明の実施形態２に係る無線送受信部、分配器及びローカル信号生成部の構成図である。
【符号の説明】
１  ベースバンド信号処理部
２，３５  ベースバンドスイッチ
３〜５  無線送受信部
６〜８，２５，２６  分配器
８，９，２７，２８  無線スイッチ
１１，２９  遅延回路
１２，１３，３２〜３４  合成器
１６，１７，２３，２４  アンテナ
【図１】
0003607573.tif 000002
【図２】
0003607573.tif 000003
【図３】
0003607573.tif 000004
【図４】
0003607573.tif 000005
【図５】
0003607573.tif 000006
【図６】
0003607573.tif 000007
【図７】
0003607573.tif 000008
【図８】
0003607573.tif 000009
【図９】
0003607573.tif 000010